(57)【要約】【課題】支持装置に電動送風部を設けることなく、空気を循環させることができる掃除機システムを提供する。【解決手段】掃除機システムは、支持装置と、支持装置に対して着脱自在に設けられ、支持装置に取り付けられた状態において空気を吸い込んだ後に当該空気を吹き出す掃除機と、を備えた。当該掃除機システムによれば、支持装置に取り付けられた状態において空気を吸い込んだ後に当該空気を吹き出す。このため、支持装置に電動送風部を設けることなく、空気を循環させることができる。【選択図】図５
2018108230.tif 000002
【特許請求の範囲】
【請求項１】
支持装置と、
前記支持装置に対して着脱自在に設けられ、前記支持装置に取り付けられた状態において空気を吸い込んだ後に当該空気を吹き出す掃除機と、
を備えた掃除機システム。
【請求項２】
前記掃除機は、
外郭をなすケース部と、
前記ケース部に収納され、吸引風を発生させる電動送風部と、
前記掃除機が前記支持装置に取り付けられていることを検知した状態において、前記電動送風部を動作させる制御部と、
を備えた請求項１に記載の掃除機システム。
【請求項３】
前記制御部は、前記掃除機が前記支持装置に取り付けられた状態において、前記掃除機が前記支持装置から取り外された状態における吸引風よりも弱い吸引風を発生させるように前記電動送風部を制御する請求項２に記載の掃除機システム。
【請求項４】
前記制御部は、前記掃除機が前記支持装置に取り付けられた状態において、吸引風を発生させた後に予め設定された時間が経過した際に吸引風を弱くするように前記電動送風部を制御する請求項２に記載の掃除機システム。
【請求項５】
前記制御部は、前記掃除機が前記支持装置に取り付けられた状態において、吸引風に含まれた塵埃の量に応じて吸引風の強弱が変化するように前記電動送風部を制御する請求項２に記載の掃除機システム。
【請求項６】
前記ケース部は、前記掃除機が前記支持装置に取り付けられた状態において、前記電動送風部からの空気を天面から吹き出す請求項２から請求項５のいずれか１項に記載の掃除機システム。
【請求項７】
前記掃除機は、
前記ケース部の天面に設けられ、前記掃除機が前記支持装置に取り付けられた状態において前記ケース部の天面からの空気の吹き出し方向が前記ケース部の後方側かつ上方となるように形成された格子部、
を備えた請求項６に記載の掃除機システム。
【請求項８】
前記掃除機は、
前記ケース部の天面に設けられ、前記ケース部が前記支持装置に取り付けられた状態において前記ケース部の天面からの空気の吹き出し方向が変化し得るように形成された格子部、
を備えた請求項６に記載の掃除機システム。
【請求項９】
前記掃除機は、
前記ケース部において前記電動送風部よりも上流側に設けられ、前記掃除機が前記支持装置から取り外された状態においては閉じ、前記掃除機が前記支持装置に取り付けられた状態においては開く吸気弁部、
を備えた請求項２から請求項８にいずれか１項に記載の掃除機システム。
【請求項１０】
前記ケース部において前記吸気弁部よりも上流側に設けられたフィルタ部、
を備えた請求項９に記載の掃除機システム。
【請求項１１】
前記ケース部において前記電動送風部よりも上流側で前記吸気弁部よりも下流側に設けられたフィルタ部、
を備えた請求項９に記載の掃除機システム。
【請求項１２】
前記掃除機は、
前記ケース部に設けられたハンドル部、
を備え、
前記吸気弁部は、前記ケース部と前記ハンドル部の前端部との接続部に設けられた請求項９から請求項１１のいずれか１項に記載の掃除機システム。
【請求項１３】
前記支持装置は、
前記掃除機が前記支持装置に取り付けられた際に前記吸気弁部を押して開く凸部、
を備えた請求項９から請求項１２のいずれか１項に記載の掃除機システム。
【請求項１４】
前記支持装置は、
前記掃除機が前記支持装置に取り付けられた際に前記吸気弁部につながる風路を形成する風路形成部、
を備えた請求項９から請求項１３のいずれか１項に記載の掃除機システム。
【請求項１５】
前記支持装置は、
前記風路形成部に設けられたフィルタ部、
を備えた請求項１４に記載の掃除機システム。
【発明の詳細な説明】
【技術分野】
【０００１】
この発明は、掃除機システムに関する。
【背景技術】
【０００２】
特許文献１は、掃除機システムを開示する。当該掃除機システムにおいて、支持装置は、電動送風部を備える。支持装置は、電動送風部を動作させることにより空気を循環させる。
【先行技術文献】
【特許文献】
【０００３】
【特許文献１】国際公開第２０１５／１２９３８７号
【発明の概要】
【発明が解決しようとする課題】
【０００４】
しかしながら、特許文献１に記載の掃除機システムにおいては、支持装置に電動送風部を設ける必要がある。このため、支持装置の構成部品が増える。
【０００５】
この発明は、上述の課題を解決するためになされた。この発明の目的は、支持装置に電動送風部を設けることなく、空気を循環させることができる掃除機システムを提供することである。
【課題を解決するための手段】
【０００６】
この発明に係る掃除機システムは、支持装置と、前記支持装置に対して着脱自在に設けられ、前記支持装置に取り付けられた状態において空気を吸い込んだ後に当該空気を吹き出す掃除機と、を備えた。
【発明の効果】
【０００７】
この発明によれば、掃除機は、支持装置に取り付けられた状態において空気を吸い込んだ後に当該空気を吹き出す。このため、支持装置に電動送風部を設けることなく、空気を循環させることができる。
【図面の簡単な説明】
【０００８】
【図１】この発明の実施の形態１における掃除機システムの例を示す斜視図である。
【図２】この発明の実施の形態１における掃除機システムの例を示す斜視図である。
【図３】この発明の実施の形態１における掃除機システムの掃除機の要部の縦断面図である。
【図４】この発明の実施の形態１における掃除機システムの断面斜視図である。
【図５】この発明の実施の形態１における掃除機システムの要部の縦断面図である。
【発明を実施するための形態】
【０００９】
この発明を実施するための形態について添付の図面に従って説明する。なお、各図中、同一又は相当する部分には、同一の符号が付される。当該部分の重複説明は適宜に簡略化又は省略化される。
【００１０】
実施の形態１．
図１と図２とはこの発明の実施の形態１における掃除機システムの例を示す斜視図である。図１と図２とにおいて、掃除機３を用いた掃除が行われる際の掃除機３の前後方向は、矢印で示される。
【００１１】
図１と図２とに示されるように、掃除機システム１は、支持装置２と掃除機３とを備える。例えば、支持装置２は、居室の床面に置かれる。例えば、掃除機３は、スティック型の掃除機である。掃除機３は、掃除が行われる際に支持装置２から取り外される。掃除機３は、掃除が終了した後に進行方向を維持したまま支持装置２に取り付けられる。その結果、掃除機３は、後部を意匠面として配置される。
【００１２】
例えば、支持装置２は、基体４と支持体５と保持体６とを備える。
【００１３】
基体４は、支持装置２の中で最も下方に配置される。例えば、基体４は、居室の壁際の床面に置かれる。例えば、支持体５は、柱状である。例えば、支持体５の下端部は、基体４に固定される。保持体６は、基体４より上方に配置される。例えば、保持体６は、支持体５の中央部に支持される。
【００１４】
例えば、掃除機３は、吸い込み具７と管体８と本体９とを備える。
【００１５】
吸い込み具７は、図示されない開口を備える。掃除機３が支持装置２に取り付けられる際、吸い込み具７は、支持装置２の基体４に支持される。例えば、管体８は、一直線状に形成される。管体８の一端部は、吸い込み具７の幅方向の中央部に対して着脱自在に設けられる。本体９は、管体８の他端部に対して着脱自在に設けられる。例えば、本体９の後部は、図示されないラッチにより管体８の他端部との接続を維持する。本体９の重心は、管体８よりも前方側となる。
【００１６】
次に、図３を用いて、掃除機３を用いた掃除が行われる際の掃除機３の動作を説明する。
図３はこの発明の実施の形態１における掃除機システムの掃除機の要部の縦断面図である。図３において、掃除機３を用いた掃除が行われる際の掃除機３の前後方向は、矢印で示される。
【００１７】
図３に示されるように、掃除機３において、本体９は、ケース部１０とハンドル部１１と電動送風部１２と集塵部１３と第１掃除機側フィルタ部１４と排気部１５と格子部１６と吸気弁部１７と弾性部１８と第２掃除機側フィルタ部１９と制御部２０と電源部２１とを備える。
【００１８】
ケース部１０は、外郭をなす。ハンドル部１１は、ケース部１０の前後にわたって連続的に設けられる。ハンドル部１１の後端部は、ケース部１０の上部に連結される。ハンドル部１１の後端部は、ケース部１０の前部に連結される。電動送風部１２は、ケース部１０に収納される。集塵部１３は、ケース部１０の下部に対して着脱自在に設けられる。集塵部１３は、電動送風部１２の下方に設けられる。第１掃除機側フィルタ部１４は、ケース部１０に収納される。第１掃除機側フィルタ部１４は、電動送風部１２と集塵部１３との間に設けられる。排気部１５は、ケース部１０の天面に設けられる。格子部１６は、排気部１５に設けられる。
【００１９】
吸気弁部１７は、ケース部１０とハンドル部１１の前端部との接続部に形成された吸気風路に設けられる。吸気弁部１７は、水平片１７ａと垂直片１７ｂとを備える。水平片１７ａは、垂線を上下方向に向ける。垂直片１７ｂは、垂線を前後方向に向ける。垂直片１７ｂの下端部は、水平片１７ａの後端部に連結される。弾性部１８は、吸気弁部１７の水平片１７ａの上方に設けられる。第２掃除機側フィルタ部１９は、電動送風部１２よりも上流側で吸気弁部１７の垂直片１７ｂよりも下流側に設けられる。
【００２０】
制御部２０は、ケース部１０に収納される。制御部２０は、電動送風部１２の直上に設けられる。電源部２１は、ハンドル部１１の後端部の下方においてケース部１０の後部に収納される。
【００２１】
掃除機３が支持装置２から取り外された状態において、吸気弁部１７は、弾性部１８の復元力により第１位置に配置される。その結果、ケース部１０とハンドル部１１の前端部との接続部において、吸気風路は、吸気弁部１７により閉じられる。
【００２２】
掃除機３の利用者は、ハンドル部１１を持つ。当該利用者は、ハンドル部１１を持った手で図示されない操作部を操作する。制御部２０は、電源部２１からの電力を利用して操作部への操作内容に基づいて電動送風部１２の動作を制御する。電動送風部１２は、電源部２１からの電力を利用して制御部２０の制御内容に基づいて動作する。
【００２３】
電動送風部１２が動作すると、吸引風が発生する。当該吸引風により、図３においては図示されない吸い込み具７の開口から空気が吸い込まれる。その後、当該空気は、管体８の内部を通過する。その後、当該空気は、本体９に到達する。
【００２４】
その後、当該空気は、集塵部１３を通過する。この際、集塵部１３は、当該空気に含まれた塵埃を当該空気から分離する。その後、当該空気は、第１掃除機側フィルタ部１４を通過する。この際、第１掃除機側フィルタ部１４は、当該空気に含まれた細かい塵埃を当該空気から取り除く。その後、当該空気は、電動送風部１２を通過する。その後、当該空気は、排気部１５から本体９の外部に吹き出される。この際、格子部１６は、当該空気の吹き出し方向を変化させる。例えば、格子部１６は、当該空気の吹き出し方向がケース部１０の後方側かつ上方となるように空気吹き出し方向を変化させる。
【００２５】
なお、掃除機３は、本体９から管体８を外すことで、ハンディ型掃除機としても利用し得る。
【００２６】
次に、図４と図５とを用いて、掃除機３が支持装置２に取り付けられている際の掃除機３の動作を説明する。
図４はこの発明の実施の形態１における掃除機システムの断面斜視図である。図５はこの発明の実施の形態１における掃除機システムの要部の縦断面図である。図５において、掃除機３を用いた掃除が行われる際の掃除機３の前後方向は、矢印で示される。
【００２７】
図４において、掃除機３は、後部を居室の手前側に向けて支持装置２に取り付けられている。掃除機３は、支持装置２に取り付けられている際も動作する。その結果、居室の内部の空気が循環する。
【００２８】
例えば、図５に示されるように、支持装置２は、風路形成部２２と支持装置側フィルタ部２３と凸部２４と図示されない充電端子部とを備える。
【００２９】
風路形成部２２は、支持体５の上部に設けられる。風路形成部２２は、掃除機３が支持装置２に取り付けられた際に吸気弁部１７につながる吸気風路を形成する。支持装置側フィルタ部２３は、風路形成部２２に設けられる。凸部２４は、支持体５の上端部に設けられる。充電端子部は、支持体５の上端部に設けられる。
【００３０】
掃除機３が支持装置２に取り付けられている際、凸部２４は、掃除機３の吸気弁部１７の水平片１７ａを押し上げる。この際、吸気弁部１７は、弾性部１８の復元力に抗しながら回転して第２位置に配置される。その結果、ケース部１０とハンドル部１１の前端部との接続部において、吸気風路は、吸気弁部１７により開かれる。
【００３１】
また、支持装置２の充電端子部は、掃除機３の図示されない充電端子部と接触する。その結果、電源部２１への充電が開始される。
【００３２】
この際、制御部２０は、電源部２１への充電が開始されたことにより掃除機３が支持装置２に取り付けられていると認識する。この状態において、制御部２０は、電源部２１からの電力を利用して操作部への操作内容に基づいて電動送風部１２の動作を制御する。電動送風部１２は、電源部２１からの電力を利用して制御部２０の制御内容に基づいて動作する。
【００３３】
例えば、電動送風部１２は、掃除機３が支持装置２から取り外された状態における吸引風よりも弱い吸引風を発生させる。例えば、電動送風部１２は、掃除が行われる際の強運転時と同等の吸引風を発生させた後に予め設定された時間が経過した際に吸引風を弱くする。
【００３４】
当該吸引風により、風路形成部２２から空気が吸い込まれる。その後、当該空気は、風路形成部２２の内部を通過する。この際、支持装置側フィルタ部２３は、当該空気に含まれた塵埃を取り除く。その後、当該空気は、吸気弁部１７に到達する。
【００３５】
その後、当該空気は、吸気弁部１７により開かれた吸気風路を通過する。その後、当該空気は、電動送風部１２を通過する。その後、当該空気は、排気部１５から本体９の外部に吹き出される。この際、格子部１６は、当該空気の吹き出し方向を変化させる。例えば、格子部１６は、当該空気の吹き出し方向がケース部１０の後方側かつ上方となるように空気吹き出し方向を変化させる。
【００３６】
以上で説明した実施の形態１によれば、掃除機３は、支持装置２に取り付けられた状態において空気を吸い込んだ後に当該空気を吹き出す。具体的には、制御部２０は、掃除機３が支持装置２に取り付けられていることを検知した状態において電動送風部１２を動作させる。このため、掃除機システム１は、支持装置２に電動送風部を設けることなく、設置位置の周囲の空気を取り込むと共に吹き出すことで空気の流れを作り、設置位置の周囲の空気を循環させることができる。
【００３７】
また、電動送風部１２は、掃除機３が支持装置２から取り外された状態における吸引風よりも弱い吸引風を発生させることもある。この場合、空気を循環させる際の音を小さくすることができる。
【００３８】
また、電動送風部１２は、掃除が行われる際の強運転時と同等の吸引風を発生させた後に予め設定された時間が経過した際に吸引風を弱くすることもある。この場合、掃除が行われる際の強運転時と同等の吸引風により、空気の循環を確実に開始することができる。その後、少ない消費電力で空気の循環を維持することができる。
【００３９】
また、電動送風部１２からの空気は、ケース部１０の天面から吹き出される。このため、空気の循環を効率よく行うことができる。
【００４０】
また、電動送風部１２からの空気は、ケース部１０の後方側かつ上方に吹き出される。このため、空気の循環効率をより高めることができる。
【００４１】
なお、格子部１６により、電動送風部１２からの空気の吹き出し方向を所望の方向に変化させてもよい。この場合、空気を循環させる領域の形状に応じて適切に空気を吹き出すことができる。
【００４２】
また、吸気弁部１７は、掃除機３が支持装置２から取り外された状態において閉じる。吸気弁部１７は、掃除機３が支持装置に取り付けられた状態において開く。このため、掃除が行われる際に吸気弁部１７の側からの空気の流れを遮断することができる。この際、吸気弁部１７の垂直片１７ｂは、負圧により吸気風路を塞ぐ。その結果、吸気弁部１７の側からの空気の流れをより確実に遮断することができる。
【００４３】
また、第２掃除機側フィルタ部１９は、電動送風部１２よりも上流側で吸気弁部１７よりも下流側に設けられる。このため、空気を循環させる際に塵埃が電動送風部１２に進入することを抑制できる。さらに、空気を清浄することもできる。
【００４４】
なお、第２掃除機側フィルタ部１９を吸気弁部１７よりも上流側に設けてもよい。この場合も、空気を循環させる際に塵埃が電動送風部１２に進入することを抑制できる。さらに、空気を清浄することもできる。
【００４５】
また、吸気弁部１７は、ケース部１０とハンドル部１１の前端部との接続部に設けられる。このため、空気を循環させる際に当該空気が集塵部１３を通過することを抑制できる。
【００４６】
また、凸部２４は、掃除機３が支持装置２に取り付けられた際に吸気弁部１７を押して開く。このため、簡単な構成で、空気を循環させる際に当該空気が集塵部１３を通過することを抑制できる。つまり、集塵部１３を経由して電動送風部１２に至る風路は、風路形成部２２から電動送風部１２に至る風路より、空気の流れの圧力損失が大きい。これは、掃除機３を使用する際に集塵部１３において、吸い込んだ空気から塵挨を分離することが可能な構造の為である。従って、吸気弁部１７が開くことで、空気が流れやすい風路となる風路形成部２２側からの風路が形成され、集塵部１３からの空気の流れが抑制される。
【００４７】
また、空気を循環させる際、空気は、風路形成部２２から吸い込まれる。このため、風路形成部２２の開口を大きくすることで、空気の圧力損失を抑制することができる。
【００４８】
また、支持装置側フィルタ部２３は、風路形成部２２に設けられる。このため、空気を循環させる際に塵埃が電動送風部１２に進入することをより確実に抑制することができる。さらに、空気を清浄することもできる。
【００４９】
なお、空気を循環させる際、掃除が行われる際と同様に吸い込み具７から空気を吸い込んでもよい。この場合も、支持装置２に電動送風部を設けることなく、空気を循環させることができる。
【００５０】
また、掃除機３が支持装置２に取り付けられた際、吸い込み具７の開口を塞いでもよい。例えば、支持装置２の基体４により吸い込み具７の開口を塞いでもよい。この場合、空気を循環させる際に塵埃が電動送風部１２に進入することをより確実に抑制することができる。
【００５１】
また、掃除機３が支持装置２に取り付けられた際、支持装置２からの吸気を行わなくてもよい。この場合、掃除が行われる際と同様に吸い込み具７からの吸気により空気を循環させればよい。
【００５２】
また、掃除が行われる際と同様に吸い込み具７からの吸気により空気を循環させる場合、吸い込み具７に塵埃検出部を設けてもよい。この際、塵埃検出部により、吸引風に含まれた塵埃を検出すればよい。この場合、制御部２０により、吸引風に含まれた塵埃の量に応じて吸引風の強弱が変化するように電動送風部１２を制御すればよい。
【００５３】
また、掃除が行われる際と同様に吸い込み具７からの吸気により空気を循環させる場合、管体８に塵埃検出部を設けてもよい。この際、塵埃検出部により、吸引風に含まれた塵埃を検出すればよい。この場合、制御部２０により、吸引風に含まれた塵埃の量に応じて吸引風の強弱が変化するように電動送風部１２を制御すればよい。
【００５４】
また、掃除が行われる際と同様に吸い込み具７からの吸気により空気を循環させる場合、本体９において電動送風部１２よりも上流側に塵埃検出部を設けてもよい。この際、塵埃検出部により、吸引風に含まれた塵埃を検出すればよい。この場合、制御部２０により、吸引風に含まれた塵埃の量に応じて吸引風の強弱が変化するように電動送風部１２を制御すればよい。
【００５５】
また、紙パックで塵埃を捕集する掃除機３を支持装置２に取り付けた状態において動作させてもよい。この場合も、支持装置２に電動送風部を設けることなく、空気を循環させることができる。
【符号の説明】
【００５６】
１  掃除機システム、  ２  支持装置、  ３  掃除機、  ４  基体、  ５  支持体、  ６  保持体、  ７  吸い込み具、  ８  管体、  ９  本体、  １０  ケース部、  １１  ハンドル部、  １２  電動送風部、  １３  集塵部、  １４  第１掃除機側フィルタ部、  １５  排気部、  １６  格子部、  １７  吸気弁部、  １７ａ  水平片、  １７ｂ  垂直片、  １８  弾性部、  １９  第２掃除機側フィルタ部、  ２０  制御部、  ２１  電源部、  ２２  風路形成部、  ２３  支持装置側フィルタ部、  ２４  凸部
【図１】
2018108230.tif 000003
【図２】
2018108230.tif 000004
【図３】
2018108230.tif 000005
【図４】
2018108230.tif 000006
【図５】
2018108230.tif 000007